(57)【特許請求の範囲】
【請求項１】
少なくとも２つの並んだボタン孔に交互に糸を挿通させてすくい縫いによりボタンを被縫製物に縫製した後、前記糸に根巻き処理を施すボタン付け環縫いミシンであって、
前記被縫製物の前記すくい縫いにより形成されるループの結節部分が被縫製物から離隔する側に位置するように、前記各ボタン孔のうち前記被縫製物に近接した側のボタン孔を挿通する糸のループの先端部を保持して、前記被縫製物から離隔する方向に移動させるループ移動手段を備えたことを特徴とするボタン付け環縫いミシン。
【発明の詳細な説明】
【０００１】
【発明の属する技術分野】
本発明は、２つの並んだボタン孔に交互に糸を挿通させてすくい縫いによりボタンを被縫製物に縫製した後、前記糸に根巻き処理を施すボタン付け環縫いミシンに関するものである。
【０００２】
【従来の技術】
従来、この種のボタン付け環縫いミシンとして、すくい縫いと根巻き処理とによりボタンを被縫製物に縫い付けるものが知られている。ここで、図１２から図１８を参照して、従来のボタン付け環縫いミシンにおけるボタンの縫い付け状態を説明する。尚、図１２から図１５においては、説明のため被縫製物等を省略して図示している。図１２から図１５においては、図中左側に曲折された被縫製物が配される。
【０００３】
図１２に示すように、このボタン付け環縫いミシンは、被縫製物２を曲折し、被縫製物２の上方にボタン８を配してすくい縫いを行う。すくい縫いは、２つの並んだボタン孔８ａに交互に糸４を挿通させることにより行う。単糸環縫いは、図１２から図１５に示すように、針５が各ボタン孔８ａを挿通するたびに、糸４をルーパ７に掛止させてループを形成する。すなわち、図１３に示すように、直前に形成されたループに糸４を挿通させて新たなループを形成し、この後、図１４に示すように、この新たに形成されたループにさらに糸４を挿通させる。この動作を繰り返すことにより、図１５に示すように、ボタン８が被縫製物２に縫製されてゆく。尚、糸４に加わる張力は、縫製開始時から縫製終了時まで略一定であり、ループは各ボタン孔８ａの略中間に形成されてゆく。すくい縫いの終了時には、図１６に示すように、糸４の結節部分が各ボタン孔８ａの略中間に形成されることとなる。
【０００４】
この後、図１７に示すように、ボタン８を鉛直状態として被縫製物２から離隔させ、ボタン８の上方にて弛んだ糸４を被縫製物２側に移動させて、糸４に根巻き処理を施す。これにより、図１８に示すように、すくい縫い及び根巻き処理により、ボタン８が被縫製物２へ縫い付けられる。
【０００５】
【発明が解決しようとする課題】
しかしながら、前記環縫いミシンでは、すくい縫いの終了時に、糸の結節部分が各ボタン孔の略中間に形成されるので、根巻き処理時にボタンを鉛直状態として被縫製物から離隔させると、図１７に示すように、ボタンの上方にて弛んだ糸が被縫製物側に移動して、結節部分が被縫製物と近接した状態となる。この状態で根巻き処理を施すと、図１８に示すように、根巻き部分から結節部分がはみ出し、ボタンが縫い付けられた被縫製物の見栄えを著しく損なうという問題点があった。また、結節部分が露出するため、結節部分から糸がほつれて、ボタンが被縫製物から外れるおそれもある。
【０００６】
本発明は前記事情に鑑みてなされたものであり、その目的とするところは、糸の結節部分が根巻き部分からはみ出すことのないように、ボタンを被縫製物に取り付けることのできるボタン付け環縫いミシンを提供することにある。
【０００７】
【課題を解決するための手段】
請求項１記載の発明では、例えば、図８から図１１に示すように、少なくとも２つの並んだボタン孔（８ａ）に交互に糸（４）を挿通させてすくい縫いによりボタン（８）を被縫製物（２）に縫製した後、前記糸に根巻き処理を施すボタン付け環縫いミシン（１）であって、前記被縫製物の縫製時に、前記各ボタン孔のうち前記被縫製物に近接した側のボタン孔を挿通する前記糸のループを、前記被縫製物から離隔する方向に移動させるループ移動手段（例えば、ループ移動部材１３等）を備えたことを特徴とする。
【０００８】
請求項１記載の発明によれば、被縫製物に近接した側のボタン孔を挿通した際に形成される糸のループは、ループ移動手段により被縫製物から離隔する側に移動される。そして、被縫製物から離隔したボタン孔を挿通した際に形成される糸のループは、被縫製物に近接した側のボタン孔のループと絡むので、被縫製物から離隔する側に形成される。これにより、各ボタン孔に交互に糸を挿通させ、すくい縫いが終了すると、各ループにより形成される結節部分が被縫製物から離隔する側に位置することとなる。
そして、根巻き処理に際し、ボタンを鉛直状態として被縫製物から離隔させると、ボタンの上方にて弛んだ糸が被縫製物側に移動し、これに伴って、結節部分が被縫製物とボタンの中間位置に移動した状態となる。この状態で、被縫製物とボタンとの間にて緊張した糸に根巻き処理が施され、結節部分は根巻きに供する糸により覆われる。
【００１１】
【発明の実施の形態】
図１から図７は本発明の第１の実施形態を示すもので、図１は環縫いミシンの概略外観斜視図、図２及び図３はすくい縫い時におけるボタンと糸のループとの位置関係を示す説明図、図４はすくい縫い終了時における被縫製物及びボタンと糸の結節部分との位置関係を示す説明図、図５は根巻き処理時における被縫製物及びボタンと糸の結節部分との位置関係を示す説明図、図６は根巻き処理が終了した状態を示す被縫製物及びボタンの側面説明図、図７は環縫いミシンの概略構成ブロック図である。尚、図２及び図３においては、説明のため被縫製物等を省略して図示している。図２及び図３においては、図中左側に曲折された被縫製物が配される。また、図１２から図１８に示す従来のものと共通の構成部分は、共通の符号で示すこととする。
【００１２】
図１に示すように、このボタン付け環縫いミシン１は、ミシンの上部をなし前後方向に延びるミシンアーム１ａと、ミシンの下部をなし前後方向に延びるミシンベッド１ｂとを有する外形が側面視にて略コ字状を呈するミシンフレーム１ｃを備えている。また、このボタン付け環縫いミシン１は、ミシンベッド１ｂ側に設けられ被縫製物２の下面と当接する下板３と、ミシンアーム１ａ側に設けられ糸４を挿通する孔を有し上下動することにより被縫製物２の縫製を行う針５とを備えている。また、ミシンアーム１ａには、縫製に供される糸４の張力を調整する糸調子装置６が設けられる。糸張力調整機構としての糸調子装置６は、１縫目ごとの糸繰出し量を調整できるものであり、従来公知のものと同様であるので、ここでは詳述しない。
【００１３】
また、このボタン付け環縫いミシン１は、図２及び図３に示すように、下板３の下方に配されるルーパ７を有している。すなわち、被縫製物２の下側にて糸４をルーパ７を掛止させ、針５の上下動に対応してルーパ７を揺動させる動作を繰り返すことにより、被縫製物２に糸４による単糸環縫いの縫製が施される。このボタン付け環縫いミシン１は、ボタン８を被縫製物２に縫い付けるものであり、２つの並んだボタン孔８ａに交互に糸４を挿通させてすくい縫いによりボタン８を被縫製物２に縫製した後、糸４に根巻き処理を施す。尚、ボタン孔８ａの個数は幾つであってもよく、ボタン８が少なくとも２つのボタン孔８ａを有していれば、すくい縫いが可能であることはいうまでもない。
【００１４】
また、図７に示すように、このボタン付け環縫いミシン１は、張力制御部１００を備えている。この張力制御部１００は、糸調子装置６に接続されるとともに、針４を上下動させる針駆動部９、被縫製物２を水平方向に移動させる生地駆動部１０、ルーパ７を揺動駆動させるルーパ駆動部１１、ボタン８の把持・回動を行うボタン駆動部１２等に接続される。この張力制御部１００は、ＣＰＵ等からなる演算部１０１と、ＲＯＭ、ＲＡＭ等からなる記憶部１０２とを有する。記憶部１０２には、縫製プログラム１１０と、根巻きプログラム１１１と、近接側設定張力Ｔｎと、離隔側設定張力Ｔｆとが記憶される。
【００１５】
縫製プログラム１１０は、２つの並んだボタン孔８ａに交互に糸４を挿通させて被縫製物２にすくい縫いを施すプログラムである。ここで、被縫製物２に近接するボタン孔８ａに針５を挿通させる際には、糸４の張力が近接側設定張力Ｔｎとなるように制御される。また、被縫製物２から離隔したボタン孔８ａに針５を挿通させる際には、糸４の張力が離隔側設定張力Ｔｆとなるように制御される。離隔側設定張力Ｔｆは、近接側設定張力Ｔｎに比して大きく設定されている。すなわち、張力制御手段としての張力制御部１００は、被縫製物２の縫製時に、各ボタン孔８ａのうち被縫製物２に近接した側のボタン孔８を挿通する糸４のループ形成時における糸４の張力に比して、被縫製物２から離隔したボタン孔８ａを挿通する糸４のループ形成時における糸４の張力が大きくなるように、糸調子装置６を制御する。
【００１６】
根巻きプログラム１１１は、被縫製物２にボタン８がすくい縫いにより縫製された後、ボタン８を被縫製物２から離隔させ、緊張した糸４に根巻きを施すプログラムである。
【００１７】
以上のように構成されたボタン付け環縫いミシン１のボタン付けの動作について説明する。
【００１８】
図２及び図３に示すように、被縫製物２を曲折させ、この曲折部分の上方に水平となるようボタン８を配する。そして、縫製プログラム１０１を実行し、被縫製物２にすくい縫いを施す。
【００１９】
このとき、被縫製物２に近接した側のボタン孔８ａを挿通した際の糸４のループ形成時に比して、被縫製物２から離隔したボタン孔８ａを挿通した際のループ形成時における糸４の張力が大きいことから、近接した側のボタン孔８ａにおけるループ形成時には糸４が比較的弛緩し、離隔したボタン孔におけるループ形成時には糸４が糸が比較的緊張する。
【００２０】
すなわち、図３に示すように、被縫製物２に近接したボタン孔８ａ側に弛緩して形成されたループは、離隔したボタン孔８ａ側に緊張して形成されるループにより、被縫製物から離隔する側に引き寄せられる。逆に、離隔したボタン孔８ａ側に緊張して形成されたループは、近接したボタン孔８ａ側に弛緩して形成されるループにより、被縫製物２に近接する方向に引き寄せられることはない。これにより、各ボタン孔８ａに交互に糸４を挿通させていくと、各ループが徐々に被縫製物２から離隔する側へと移動していく。すくい縫いが終了すると、図４に示すように、各ループにより形成される結節部分が被縫製物２から離隔する側に位置することとなる。
【００２１】
そして、根巻き処理に際し、図５に示すように、ボタン８を鉛直状態として被縫製物２から離隔させると、ボタン８の上方にて弛んだ糸４が被縫製物２側に移動し、これに伴って、結節部分が被縫製物２とボタン８の中間位置に移動した状態となる。この状態で、根巻きプログラム１０１を実行し、被縫製物２とボタン８との間にて緊張した糸４に根巻き処理が施され、図６に示すように、結節部分は根巻きに供する糸４により覆われる。
【００２２】
このように、本実施形態のボタン付け環縫いミシン１によれば、結節部分が根巻きに供する糸４により覆われるようにしたので、根巻き部分から結節部分がはみ出すことはなく、ボタンが縫い付けられた被縫製物の見栄えが良く商品性が向上する。また、結節部分が根巻き部分により覆われるので、結節部分を的確に保護し、糸４のほつれ等を防止し、ボタン８の被縫製物２への縫い付け強度を向上することができる。
【００２３】
尚、第１の実施形態においては、各ボタン孔８ａを針５が挿通する際の糸４の張力が、択一的に近接側設定張力Ｔｎまたは離隔側設定張力Ｔｆとなるよう制御されるものを示したが、互いに連続する近接側及び離隔側のループ形成時において、張力の差を確保しておけば、形成されたループの個数、縫製開始からの時間等によって張力が変化するものであってもよい。
【００２４】
図８から図１１は本発明の第２の実施形態を示すもので、図８及び図９はループ移動部材の設置状態を示すボタン付け環縫いミシンの一部外観斜視図、図１０はすくい縫い時におけるボタンと糸のループとの位置関係を示す説明図、図１１は環縫いミシンの概略構成ブロック図である。尚、図１０においては、説明のため被縫製物等を省略して図示している。図１０においては、図中左側に曲折された被縫製物が配される。第２の実施形態においては、被縫製物２に近接するボタン孔８ａを挿通した際に形成されるループを被縫製物２から離隔させるループ移動手段を備えた点、張力制御部１００でなくループ移動制御部２００が設けられた点等において、第１の実施形態と構成を異にしている。以下、第１の実施形態と同様の符号を用いて第２の実施形態について説明する。
【００２５】
図８及び図９に示すように、このボタン付け環縫いミシンは、下板３の下方にループ移動手段としてのループ移動部材１３を備えている。ループ移動部材１３は回動自在にミシンベッド１ｂ側に設けられ、ループ駆動部１４により回動駆動される。ループ移動部材１３の一部は所定方向に延び、その先端に糸保持部１３ａが形成される。すなわち、ループ移動部材１３が回動することにより、糸保持部１３ａが被縫製物２の下方に出没するようになっている。すなわち、ループ移動部材１３は被縫製物２の縫製時に、各ボタン孔８ａのうち被縫製物２に近接した側のボタン孔８ａを挿通する糸４のループを、被縫製物２から離隔する方向に移動させる。尚、図８は糸保持部１３ａが被縫製物２の下方から退去した状態を示し、図９は糸保持部１３ａが被縫製物２の下方に出現した状態を示す。
【００２６】
また、図１１に示すように、このボタン付け環縫いミシンは、ループ移動制御部２００を備えている。このループ移動制御部２００は、ループ駆動部１４に接続されるとともに、針４を上下動させる針駆動部９、被縫製物２を水平方向に移動させる生地駆動部１０、ルーパ７を揺動駆動させるルーパ駆動部１１、ボタン８の把持・回動を行うボタン駆動部１２等に接続される。この張力制御部２００は、ＣＰＵ等からなる演算部２０１と、ＲＯＭ、ＲＡＭ等からなる記憶部２０２とを有する。記憶部２０２には、縫製プログラム２１０と、根巻きプログラム２１１とが記憶される。
【００２７】
縫製プログラム２１０は、２つの並んだボタン孔８ａに交互に糸４を挿通させて被縫製物２にすくい縫いを施すプログラムである。本実施形態においては、被縫製物２に近接した側のボタン孔８ａを挿通した際に糸４のループが形成されると、ループ駆動部１４を駆動させ、ループ移動部材１３の糸保持部１３ａを利用して、ループを被縫製物２から離隔させるようになっている。
【００２８】
根巻きプログラム２１１は、被縫製物２にボタン８がすくい縫いにより縫製された後、ボタン８を被縫製物２から離隔させ、緊張した糸４に根巻きを施すプログラムである。
【００２９】
以上のように構成されたボタン付け環縫いミシンのボタン付けの動作について説明する。
【００３０】
第１の実施形態と同様に、図１０に示すように、被縫製物２を曲折させ、この曲折部分の上方に水平となるようボタン８を配する。そして、縫製プログラム２１０を実行し、被縫製物２にすくい縫いを施す。
【００３１】
このとき、被縫製物２に近接した側のボタン孔８ａを挿通した際に形成される糸４のループは、図１０に示すように、ループ移動部材１３により被縫製物２から離隔する側に移動される。そして、被縫製物２から離隔したボタン孔８ａを挿通した際に形成される糸４のループは、被縫製物２に近接した側のボタン孔８ａのループと絡むので、被縫製物２から離隔する側に形成される。これにより、各ボタン孔８ａに交互に糸４を挿通させ、すくい縫いが終了すると、図４に示すように、各ループにより形成される結節部分が被縫製物２から離隔する側に位置することとなる。
【００３２】
そして、根巻き処理に際し、図５に示すように、ボタン８を鉛直状態として被縫製物２から離隔させると、ボタン８の上方にて弛んだ糸４が被縫製物２側に移動し、これに伴って、結節部分が被縫製物２とボタン８の中間位置に移動した状態となる。この状態で、根巻きプログラム１０１を実行し、被縫製物２とボタン８との間にて緊張した糸４に根巻き処理が施され、図６に示すように、結節部分は根巻きに供する糸４により覆われる。
【００３３】
このように、本実施形態のボタン付け環縫いミシンによれば、結節部分が根巻きに供する糸４により覆われるようにしたので、根巻き部分から結節部分がはみ出すことはなく、ボタンが縫い付けられた被縫製物の見栄えが良く商品性が向上する。また、結節部分が根巻き部分により覆われるので、結節部分を的確に保護し、糸４のほつれ等を防止し、ボタン８の被縫製物２への縫い付け強度を向上することができる。
【００３４】
尚、第２の実施形態においては、ループ移動部材１３が回動自在に設けられたものを示したが、ループ移動部材１３は直線的に移動するものであってもよいし、その他、具体的な細部構造等についても適宜に変更可能であることは勿論である。
【００３５】
【発明の効果】
以上詳述したように、請求項１記載の発明によれば、被縫製物に近接した側のボタン孔を挿通した際に形成される糸のループは、ループ移動手段により被縫製物から離隔する側に移動されるようにし、結節部分が被縫製物とボタンとの中間に位置するようにすることにより、結節部分が根巻きに供する糸により覆われるようにしたので、根巻き部分から結節部分がはみ出すことはなく、ボタンが縫い付けられた被縫製物の見栄えを良好なものとして、この被縫製物の商品性を向上させることができる。また、結節部分が根巻き部分により覆われるので、結節部分を的確に保護し、糸のほつれ等を防止し、ボタンの被縫製物への縫い付け強度を向上することができる。
【図面の簡単な説明】
【図１】本発明の第１の実施形態を示すもので環縫いミシンの概略外観斜視図である。
【図２】すくい縫い時におけるボタンと糸のループとの位置関係を示す説明図である。
【図３】すくい縫い時におけるボタンと糸のループとの位置関係を示す説明図である。
【図４】すくい縫い終了時における被縫製物及びボタンと糸の結節部分との位置関係を示す説明図である。
【図５】根巻き処理時における被縫製物及びボタンと糸の結節部分との位置関係を示す説明図である。
【図６】根巻き処理が終了した状態を示す被縫製物及びボタンの側面説明図である。
【図７】環縫いミシンの概略構成ブロック図である。
【図８】本発明の第２の実施形態を示すものでループ移動部材の設置状態を示すボタン付け環縫いミシンの一部外観斜視図である。
【図９】ループ移動部材の設置状態を示すボタン付け環縫いミシンの一部外観斜視図である。
【図１０】すくい縫い時におけるボタンと糸のループとの位置関係を示す説明図である。
【図１１】環縫いミシンの概略構成ブロック図である。
【図１２】従来の環縫いミシンのすくい縫い時におけるボタンと糸のループとの位置関係を示す説明図である。
【図１３】すくい縫い時におけるボタンと糸のループとの位置関係を示す説明図である。
【図１４】すくい縫い時におけるボタンと糸のループとの位置関係を示す説明図である。
【図１５】すくい縫い時におけるボタンと糸のループとの位置関係を示す説明図である。
【図１６】すくい縫い終了時における被縫製物及びボタンと糸の結節部分との位置関係を示す説明図である。
【図１７】根巻き処理時における被縫製物及びボタンと糸の結節部分との位置関係を示す説明図である。
【図１８】根巻き処理が終了した状態を示す被縫製物及びボタンの側面説明図である。
【符号の説明】
１          環縫いミシン
２          被縫製物
３          下板
４          糸
５          針
６          糸調子装置
７          ルーパ
８          ボタン
８ａ        ボタン孔
９          針駆動部
１０        生地駆動部
１１        ルーパ駆動部
１２        ボタン駆動部
１３        ループ移動部材
１３ａ      糸保持部
１４        ループ駆動部
１００      張力制御部
１０１      演算部
１０２      記憶部
１１０      縫製プログラム
１１１      根巻きプログラム
２００      ループ移動制御部
２１０      縫製プログラム
２１１      根巻きプログラム
Ｔｆ        離隔側設定張力
Ｔｎ        近接側設定張力
【図１】
0003946571.tif 000002
【図２】
0003946571.tif 000003
【図３】
0003946571.tif 000004
【図４】
0003946571.tif 000005
【図５】
0003946571.tif 000006
【図６】
0003946571.tif 000007
【図７】
0003946571.tif 000008
【図８】
0003946571.tif 000009
【図９】
0003946571.tif 000010
【図１０】
0003946571.tif 000011
【図１１】
0003946571.tif 000012
【図１２】
0003946571.tif 000013
【図１３】
0003946571.tif 000014
【図１４】
0003946571.tif 000015
【図１５】
0003946571.tif 000016
【図１６】
0003946571.tif 000017
【図１７】
0003946571.tif 000018
【図１８】
0003946571.tif 000019